(57)【要約】【課題】電動ポンプのコストアップを抑制すると共に、小型化を図ることができる電動ポンプを得る。【解決手段】電動ポンプ１２は、軸線回りに回転することによって流入した液体を圧送するインペラ１８を備えている。また、電動ポンプ１２は、インペラ１８が取付けられたロータ２０及びロータ２０の径方向外側に配置されかつ自らが界磁する磁界によってロータ２０を回転させるステータ２２を含んで構成されたモータ部１０を備えている。さらに、電動ポンプ１２は、ロータ２０が収容されるキャン部４２を有するモータハウジング２４を備えている。また、モータ部１０を制御する回路装置２８は、モータハウジング２４におけるキャン部４２に近接する部位に取付けられている。【選択図】図１
2014025471.tif 000002
【特許請求の範囲】
【請求項１】
軸線回りに回転することによって流入した液体を圧送するインペラと、
前記インペラが取付けられていると共に、周方向に沿ってマグネットが配設されたロータと、前記ロータの径方向外側に配置されかつ自らが界磁する磁界によって前記ロータを回転させるステータと、を含んで構成されたモータ部と、
有底筒状に形成されかつ前記ロータが収容されるキャン部を有すると共に、前記ステータが前記ロータの径方向外側の位置に支持されたモータハウジングと、
前記モータハウジングにおける前記キャン部に近接する部位に取付けられ、前記モータ部を制御する回路装置と、
を備えた電動ポンプ。
【請求項２】
前記回路装置は、回路基板及びこの回路基板上に取付けられた回路素子を含んで構成されていると共に、前記回路基板における前記回路素子が取付けられた面と同じ側の面又は反対側の面が前記モータハウジングに取付けられている請求項１記載の電動ポンプ。
【請求項３】
前記回路装置は、回路基板及びこの回路基板上に取付けられた回路素子を含んで構成されていると共に、前記回路素子は前記モータハウジングにおける前記キャン部に近接する部位と前記回路基板との間に配置されており、
前記モータハウジングにおける前記キャン部に近接する部位と前記回路基板との間に伝熱部材が介装された状態で前記回路基板における前記回路素子が取付けられた面と同じ側の面が前記モータハウジングに取付けられている請求項１記載の電動ポンプ。
【請求項４】
前記回路装置は、回路基板及びこの回路基板上に取付けられた回路素子を含んで構成されていると共に、前記回路素子は前記モータハウジングにおける前記キャン部に近接する部位に配置されており、
前記モータハウジングにおける前記キャン部に近接する部位と前記回路基板における回路素子が取付けられた部位とが接した状態で、或いは、前記モータハウジングにおける前記キャン部に近接する部位と前記回路基板における回路素子が取付けられた部位との間に伝熱部材が介装された状態で、前記回路基板における前記回路素子が取付けられた面と反対側の面が前記モータハウジングに取付けられている請求項１記載の電動ポンプ。
【請求項５】
前記回路基板における前記回路素子が取付けられた部位にはスルーホールビアが設けられている請求項４記載の電動ポンプ。
【請求項６】
前記回路基板には、前記回路素子と電気的に接続された導電パターン部が設けられており、前記導電パターン部が前記モータハウジングにおける前記キャン部に近接する部位と接している、或いは、前記導電パターン部と前記モータハウジングにおける前記キャン部に近接する部位との間に伝熱部材が介装されている請求項２、請求項４及び請求項５のいずれか１項に記載の電動ポンプ。
【請求項７】
前記キャン部の底壁には、前記ロータが軸支される軸支部が立設されていると共に、前記底壁は前記回路基板に沿って延在され、かつ前記底壁における前記軸支部が設けられた面と反対側の面に前記回路基板が取付けられている請求項２〜請求項６のいずれか１項に記載の電動ポンプ。
【請求項８】
前記キャン部の内部において、前記インペラによって攪拌された液体が循環している請求項１〜請求項７のいずれか１項に記載の電動ポンプ。
【請求項９】
前記キャン部における前記回路装置側の部位が金属製とされている請求項１〜請求項８のいずれか１項に記載の電動ポンプ。
【発明の詳細な説明】
【技術分野】
【０００１】
本発明は、電動ポンプに関する。
【背景技術】
【０００２】
下記特許文献１には、モータの回転を制御するための回路装置を内部に備えた電動ポンプが開示されている。
【先行技術文献】
【特許文献】
【０００３】
【特許文献１】特開２０１０−１３９４６号公報
【発明の概要】
【発明が解決しようとする課題】
【０００４】
しかしながら、モータを回転させるために、回路装置に通電されると、該回路装置の一部を構成する回路素子等が発熱する。
【０００５】
そのため、回路素子等を冷却するために、アルミニウム合金等の金属材料を用いて形成されたヒートシンク等の冷却装置を設けることが考えられるが、この場合、電動ポンプのコストが上昇すると共に、電動ポンプの体格が大きくなる。
【０００６】
本発明は上記事実を考慮し、電動ポンプのコストアップを抑制すると共に、小型化を図ることができる電動ポンプを得ることが目的である。
【課題を解決するための手段】
【０００７】
請求項１記載の本発明に係る電動ポンプは、軸線回りに回転することによって流入した液体を圧送するインペラと、前記インペラが取付けられていると共に、周方向に沿ってマグネットが配設されたロータと、前記ロータの径方向外側に配置されかつ自らが界磁する磁界によって前記ロータを回転させるステータと、を含んで構成されたモータ部と、有底筒状に形成されかつ前記ロータが収容されるキャン部を有すると共に、前記ステータが前記ロータの径方向外側の位置に支持されたモータハウジングと、前記モータハウジングにおける前記キャン部に近接する部位に取付けられ、前記モータ部を制御する回路装置と、を備えている。
【０００８】
請求項１記載の本発明では、モータ部が駆動する即ちロータが回転すると、このロータと共にインペラが回転する。その結果、電動ポンプ内に流入した液体が圧送される。また、本発明では、モータ部が回路装置によって制御されている。そのため、モータ部を制御するために、回路装置に通電されると、回路装置自体が発熱する。この熱を放熱させるために、ヒートシンク等の冷却装置を設けることが考えられるが、本発明では、回路装置がモータハウジングにおけるキャン部に近接する部位に取付けられている。そのため、回路装置の熱はモータハウジングに伝達された後、キャン部に満たされた液体に伝達される。即ち、本発明では、ヒートシンク等の冷却装置を設けることなく回路装置の熱を放熱させることができる。その結果、本発明では、電動ポンプのコストアップを抑制することができると共に、電動ポンプ自体の小型化を図ることができる。
【０００９】
請求項２記載の本発明に係る電動ポンプは、請求項１記載の電動ポンプにおいて、前記回路装置は、回路基板及びこの回路基板上に取付けられた回路素子を含んで構成されていると共に、前記回路基板における前記回路素子が取付けられた面と同じ側の面又は反対側の面が前記モータハウジングに取付けられている。
【００１０】
請求項２記載の本発明では、回路基板上に取付けられた回路素子が発熱すると、この熱は回路基板を介してモータハウジングに伝達される。そのため、回路基板上における回路素子の位置を適宜設定することによって、回路素子の冷却性能を向上させることができる。
【００１１】
請求項３記載の本発明に係る電動ポンプは、請求項１記載の電動ポンプにおいて、前記回路装置は、回路基板及びこの回路基板上に取付けられた回路素子を含んで構成されていると共に、前記回路素子は前記モータハウジングにおける前記キャン部に近接する部位と前記回路基板との間に配置されており、前記モータハウジングにおける前記キャン部に近接する部位と前記回路基板との間に伝熱部材が介装された状態で前記回路基板における前記回路素子が取付けられた面と同じ側の面が前記モータハウジングに取付けられている。
【００１２】
請求項３記載の本発明では、回路素子が回路基板上の前記位置に配置されている。そのため、回路素子の熱を伝熱部材を介して速やかにモータハウジングに放熱することができる。また、本発明では、モータハウジングにおけるキャン部に近接する部位と回路基板との間に伝熱部材が介装されている。換言すると、伝熱部材が回路素子の周りに設けられている。そのため、回路素子の熱をより効率よくモータハウジングに放熱することができる。
【００１３】
請求項４記載の本発明に係る電動ポンプは、請求項１記載の電動ポンプにおいて、前記回路装置は、回路基板及びこの回路基板上に取付けられた回路素子を含んで構成されていると共に、前記回路素子は前記モータハウジングにおける前記キャン部に近接する部位に配置されており、前記モータハウジングにおける前記キャン部に近接する部位と前記回路基板における回路素子が取付けられた部位とが接した状態で、或いは、前記モータハウジングにおける前記キャン部に近接する部位と前記回路基板における回路素子が取付けられた部位との間に伝熱部材が介装された状態で、前記回路基板における前記回路素子が取付けられた面と反対側の面が前記モータハウジングに取付けられている。
【００１４】
請求項４記載の本発明では、回路素子が回路基板上の前記位置に配置されている。そのため、回路素子の熱を回路基板を介して又は回路基板及び伝熱部材を介して速やかにモータハウジングに放熱することができる。
【００１５】
請求項５記載の本発明に係る電動ポンプは、請求項４記載の電動ポンプにおいて、前記回路基板における前記回路素子が取付けられた部位にはスルーホールビアが設けられている。
【００１６】
請求項５記載の本発明では、スルーホールビアが回路基板における前記位置に設けられている。そのため、回路素子の熱をスルーホールビアを介してモータハウジングに伝達することができる。これにより、本発明では、回路素子の冷却性能をより一層向上させることができる。
【００１７】
請求項６記載の本発明に係る電動ポンプは、請求項２、請求項４及び請求項５のいずれか１項に記載の電動ポンプにおいて、前記回路基板には、前記回路素子と電気的に接続された導電パターン部が設けられており、前記導電パターン部が前記モータハウジングにおける前記キャン部に近接する部位と接している、或いは、前記導電パターン部と前記モータハウジングにおける前記キャン部に近接する部位との間に伝熱部材が介装されている。
【００１８】
請求項６記載の本発明では、上記の導電パターン部が回路基板に設けられている。そのため、回路素子の熱を導電パターン部に伝達させた後にモータハウジングに伝達させることができる。また、本発明では、導電パターン部とモータハウジングとの接触面積又は導電パターン部と伝熱部材との接触面積を適宜設定することによって回路素子の冷却性能をより一層向上させることができる。
【００１９】
請求項７記載の本発明に係る電動ポンプは、請求項２〜請求項６のいずれか１項に記載の電動ポンプにおいて、前記キャン部の底壁には、前記ロータが軸支される軸支部が立設されていると共に、前記底壁は前記回路基板に沿って延在され、かつ前記底壁における前記軸支部が設けられた面と反対側の面に前記回路基板が取付けられている。
【００２０】
請求項７記載の本発明では、キャン部の底壁が回路基板に沿って延在している。そのため、回路基板の取付けを容易にすることができると共に、回路素子の熱を回路基板及びキャン部の底壁を介してキャン部に満たされた液体に放熱させることができる。
【００２１】
請求項８記載の本発明に係る電動ポンプは、請求項１〜請求項７のいずれか１項に記載の電動ポンプにおいて、前記キャン部の内部において、前記インペラによって攪拌された液体が循環していることを特徴としている。
【００２２】
請求項８記載の本発明では、インペラによって攪拌された液体がキャン部の内部にて循環している。換言すると、キャン部の底壁から伝達された熱によって温度が上昇した液体が、キャン部の底壁付近に留まらない。その結果、本発明では、回路素子の冷却性能をより一層向上させることができる。
【００２３】
請求項９記載の本発明に係る電動ポンプは、請求項１〜請求項８のいずれか１項に記載の電動ポンプにおいて、前記キャン部における前記回路装置側の部位が金属製とされている。
【００２４】
請求項９記載の本発明では、モータハウジングのキャン部における回路装置側の部位が熱伝導率が高い金属製とされている。これにより、本発明では、回路装置からキャン部への放熱性能をより一層向上させることができる。
【図面の簡単な説明】
【００２５】
【図１】第１実施形態に係る電動ポンプを示す断面図である。
【図２】ポンプ部の外郭を形成するポンプケースの断面を示す断面図である。
【図３】モータハウジングの断面を示す断面図である。
【図４】インペラ及びこのインペラが取付けられたロータの断面を示す断面図である。
【図５】モータ部を制御する回路装置を示す側面図である。
【図６】回路装置とモータハウジングとの取付部を拡大して示す拡大断面図である。
【図７】対比例に電動ポンプにおいて、回路装置が設けられた部位を拡大して示す拡大断面図である。
【図８】第２実施形態に係る電動ポンプを示す分解斜視図である。
【図９】図８に示された電動ポンプのキャン部周辺を拡大して示す拡大断面図である。
【図１０】第３実施形態に係る電動ポンプを示す分解斜視図である。
【図１１】図１０に示されたキャン部周辺を拡大して示す拡大断面図である。
【図１２】第４実施形態に係る電動ポンプのキャン部周辺を拡大して示す拡大断面図である。
【発明を実施するための形態】
【００２６】
図１〜図５を用いて、本発明の第１実施形態に係る電動ポンプについて説明する。
【００２７】
図１に示されるように、本実施形態の電動ポンプ１２は、車両のエンジン等の内部に冷却水を圧送するためのウォータポンプである。具体的には、電動ポンプ１２は、流入した冷却水を圧送するポンプ部１４の外郭を形成するポンプケース１６と、インペラ１８を回転させることによりポンプ部１４を駆動するロータ２０と、を備えている。また、電動ポンプ１２は、自らが界磁する磁界によってロータ２０を軸線回りに回転させるステータ２２と、このステータ２２を支持するモータハウジング２４と、を備えている。上記のロータ２０及びステータ２２を主要な要素としてモータ部１０が構成されている。さらに、電動ポンプ１２は、モータ部１０を制御するための回路装置２８を備えている。
【００２８】
以下、先ずポンプケース１６について説明し、次いでモータハウジング２４、ロータ２０、ステータ２２、及び回路装置２８についてこの順で説明する。
【００２９】
（ポンプケース１６）
図２に示されるように、ポンプケース１６は、冷却水が流入する入口管３０及び冷却水が流出する出口管３２を備えた略蝸牛状に形成された一体成形品である。具体的には、ポンプケース１６は略円盤平板状の基部３４及び該基部３４の径方向内側の端部からモータの軸方向一方側（矢印Ａ１方向）に突出した膨出部３６を備えている。また、ポンプケース１６は、膨出部３６の径方向内側の端部から後述するインペラ１８の第１円盤部７８（図４参照）の形状に沿って延在するインペラガイド部３８を備えている。さらに、ポンプケース１６は、インペラガイド部３８の径方向内側の端部からモータの軸方向一方側（矢印Ａ１方向）に延出するように形成された管状の入口管３０を備えている。また、この入口管３０の端部には、ゴムホース等の配管の抜けを抑制する抜け止め突起３０Ａが形成されている。さらに、ポンプケース１６は、上記膨出部３６に接続されていると共に、入口管３０の開口方向と直交する方向に延出するように形成された管状の出口管３２を備えている。
【００３０】
さらに、ポンプケース１６は、基部３４の径方向外側の端部からモータの軸方向他方側（矢印Ａ２方向）に延在する円筒状の開放端部４０を備えている。
【００３１】
図１に示されるように、以上説明したポンプケース１６に後述するインペラ１８が収容されることにより、入口管３０から流入した冷却水を出口管３２に向けて圧送するポンプ部１４が形成されている。
【００３２】
（モータハウジング２４）
図３に示されるように、モータハウジング２４は有底円筒状に形成された一体成形品である。具体的には、モータハウジング２４におけるモータの軸方向一方側（矢印Ａ１方向）には後述するロータ２０（図４参照）を収容するためのキャン部４２が形成されていると共に、モータハウジング２４におけるモータの軸方向他方側（矢印Ａ２方向）には後述するステータ２２（図１参照）を収容するためのステータ収容部４４が形成されている。
【００３３】
キャン部４２は、モータの軸方向一方側（矢印Ａ１方向）に開口した略Ｕ字状断面を成していると共に、円形状の底壁４６を備えている。また、この底壁４６の中心部にはモータの軸方向一方側（矢印Ａ１方向）に突出するように形成された管状の軸支部４８が設けられている。後述するロータ２０がこの軸支部４８に支持されることにより、ロータ２０が該軸支部４８を軸中心として回転可能となる構成である。さらに、底壁４６における軸支部４８が設けられた面と反対側の面は、後述する回路基板８８が取付けられる取付面４６Ａとされている。この取付面４６Ａは、モータの軸方向他方側（矢印Ａ２方向）に面が向けられていると共に、回路装置２８がモータハウジング２４に取付けられた状態において、回路基板８８と略同一方向に延在している。
【００３４】
また、キャン部４２は、底壁４６の径方向外側の端部からモータの軸方向一方側（矢印Ａ１方向）に延在する内周壁５０を備えている。さらに、キャン部４２は、内周壁５０の端部から該内周壁５０の径方向外側に延在する第１インペラガイド壁５２Ａ及び該第１インペラガイド壁５２Ａの端部からモータの軸方向一方側（矢印Ａ１方向）に延びる第２インペラガイド壁５２Ｂを備えている。この、第１インペラガイド壁５２Ａ及び第２インペラガイド壁５２Ｂは、後述するインペラ１８の第２円盤部８０の外周端部の形状に沿って形成されている。以上説明した、底壁４６、内周壁５０、第１インペラガイド壁５２Ａ、及び第２インペラガイド壁５２Ｂによってキャン部４２が形成されている。
【００３５】
また、モータハウジング２４は、キャン部４２の第２インペラガイド壁５２Ｂの端部からモータハウジング２４の径方向外側に延在する側壁５４を備えている。さらに、モータハウジング２４は、側壁５４の径方向外側の端部からモータの軸方向他方側（矢印Ａ２方向）に延在する接合壁部５６を備えている。図１に示されるように、この接合壁部５６とポンプケース１６の開放端部４０とがモータの軸方向（矢印Ａ１及び矢印Ａ２方向）に嵌合された後、熱溶着等が施されることによって接合されている。
【００３６】
また、図３に示されるように、ステータ収容部４４は、上記キャン部４２と反対方向に開口したＷ字状断面を成していると共に、円環状の底壁５８を備えている。また、ステータ収容部４４は、底壁５８の径方向内側の端部からモータの軸方向他方側（矢印Ａ２方向）に向けて延在する内周壁５０を備えている。さらに、ステータ収容部４４は、底壁５８の径方向外側の端部からモータの軸方向他方側（矢印Ａ２方向）に延在する外周壁６０を備えている。以上説明した底壁５８、内周壁５０、及び外周壁６０によってステータ収容部４４が形成されていると共に、底壁５８、内周壁５０、及び外周壁６０に囲まれた部分に後述するステータ２２（図１参照）が支持されている。
【００３７】
また、図１及び図３に示されるように、モータハウジング２４は、外周壁６０の径方向外側に向けて突出するように形成されたコネクタ部６８を備えている。この、コネクタ部６８を介して回路装置２８が電源等に接続される構成である。
【００３８】
（ロータ２０）
図４に示されるように、ロータ２０は、円筒状のロータ７０が出力軸７２に取付けられることによって構成されている。具体的には、出力軸７２は、円柱状の鋼材に浸炭処理等の表面処理が施されることにより構成されており、その一方の端部は上記モータハウジング２４の軸支部４８（図３参照）に挿入される回転軸部７２Ａとされている。即ち、出力軸７２は軸支部４８に片持ち支持されている構成である。
【００３９】
また、ロータ７０は、上記出力軸７２の径方向外側に配置された厚肉円筒状を成している。また、このロータ７０の内部には、その周方向に沿って複数のマグネット７４が設けられている。さらに、このロータ７０はロータ保持部材７６を介して出力軸７２に固定されている。
【００４０】
また、出力軸７２における回転軸部７２Ａと反対側の端部には、インペラ１８が取付けられている。インペラ１８は、モータの径方向（矢印Ｒ１及び矢印Ｒ２方向）に延在すると共に円盤状に形成された第１円盤部７８と第２円盤部８０との間に複数のブレード８２が立設されることによって形成されている。
【００４１】
（ステータ２２）
図１及び図３に示されるように、ステータ２２は、環状に形成されたモータコア８４と、導電性の巻線２６と、を主要な要素として構成されている。具体的には、モータコア８４は、所定の形状となるように打ち抜かれた鋼板がモータの軸方向（矢印Ａ１及び矢印Ａ２方向）に積層されることによって構成されている。その結果、モータコア８４には、モータの径方向外側（矢印Ｒ１方向）に向けて延びると共に巻線２６が巻回されるティース部８４Ａが形成されている。
【００４２】
また、巻線２６がティース部８４Ａに層状に巻回されることによって、該ティース部８４Ａに沿って巻線部８６が形成されている。さらに、この巻線２６の端末部は、後述する回路基板８８に接続されている。
【００４３】
なお、巻線部８６とティース部８４Ａとの間には、図示しない絶縁部材が介装されている。
【００４４】
（回路装置２８）
図５に示されるように、回路装置２８は、モータの径方向（矢印Ｒ１及び矢印Ｒ２方向）に延びる円盤状に形成された回路基板８８と、この回路基板８８上に取付けられた複数の回路素子９０Ａ，９０Ｂと、を主要な要素として構成されている。また、回路素子９０Ａは、回路基板８８の略中心部に配置されている。
【００４５】
また、図１に示されるように、回路基板８８における回路素子９０Ａ，９０Ｂが取付けられた面と反対側の面（矢印Ａ１方向側の面）は、伝熱部材としての放熱シート９４（シリコン）を介してモータハウジング２４の取付面４６Ａ（キャン部４２の底壁４６）に接合されている（回路基板８８の中心部がモータハウジング２４の取付面４６Ａに接合されている）。その結果、回路装置２８（回路基板８８）がモータハウジング２４に取付けられる構成である。また、回路装置２８がモータハウジング２４に取付けられた状態において、回路素子９０Ａはモータハウジング２４の取付面４６Ａ（キャン部４２の底壁４６）と対向する部位に配置されている。換言すると、回路基板８８とキャン部４２の底壁４６とが接合された部位に回路素子９０Ａが取付けられている。
【００４６】
また、回路装置２８は、カバー部材９２がモータハウジング２４に取付けられることによって該カバー部材９２に覆われている。
【００４７】
（本実施形態の作用並びに効果）
次に、本実施形態の作用並びに効果について説明する。
【００４８】
図１に示されるように、本実施形態では、ロータ２０が回転すると、該ロータ２０の出力軸７２に取付けられたインペラ１８が回転する。その結果、ポンプ部１４が駆動され、ポンプケース１６の入口管３０から流入した冷却水が出口管３２に向けて圧送される。
【００４９】
また、図６に示されるように、インペラ１８によって攪拌された冷却水の一部は、ポンプケース１６に形成されたキャン部４２の内部を循環した後、出口管３２（図１参照）に向けて流れて行く。
【００５０】
ところで、本実施形態では、ロータ２０の回転（モータ部１０の駆動）が回路装置２８によって制御されている。そのため、ロータ２０の回転を制御するために、回路装置２８に通電されると、回路装置２８を構成する回路素子９０Ａ，９０Ｂが発熱する。そのため、図７に示されるように、回路素子９０Ａ，９０Ｂの熱を放熱させるために、ヒートシンク９６等の冷却装置を設けることが考えられるが、この場合、電動ポンプのコストが上昇すると共に、電動ポンプの体格が大きくなる。
【００５１】
しかしながら、本実施形態では、回路装置２８がモータハウジング２４におけるキャン部４２に近接する部位に取付けられている。詳述すると、図１に示されるように、回路基板８８における回路素子９０Ａ，９０Ｂが取付けられた面と反対側の面がモータハウジング２４の取付面４６Ａ（キャン部４２の底壁４６）に取付けられている。そのため、回路装置２８の熱はモータハウジング２４（キャン部４２の底壁４６）に伝達された後、キャン部４２に満たされた冷却水に伝達される。即ち、本実施形態では、ヒートシンク等の冷却装置を設けることなく回路装置２８の熱を放熱させることができる。その結果、本実施形態では、電動ポンプ１２のコストアップを抑制することができると共に、電動ポンプ１２自体の小型化を図ることができる。
【００５２】
また、本実施形態では、回路基板８８上に取付けられた回路素子９０Ａ，９０Ｂが発熱すると、この熱は回路基板８８を介してモータハウジング２４に伝達される。そのため、回路基板８８上における回路素子９０Ａ，９０Ｂの位置を適宜設定することによって、回路素子９０Ａ，９０Ｂの冷却性能を向上させることができる。特に、本実施形態では、モータハウジング２４の取付面４６Ａ（キャン部４２の底壁４６）と対向する部位（キャン部４２の底壁４６と最も近い位置）に配置された回路素子９０Ａの冷却性能が向上されている。
【００５３】
さらに、本実施形態では、モータの軸方向他方側（矢印Ａ２方向）に面が向けられた取付面４６Ａ（キャン部４２の底壁４６）が、回路基板８８と略同一方向に延在している。そのため、回路基板８８の取付けを容易にすることができる。
【００５４】
また、本実施形態では、回路基板８８とキャン部４２の底壁４６との間に放熱シート９４が介装されることによって回路基板８８とキャン部４２の底壁４６とが接合されている。そのため、回路素子９０Ａ，９０Ｂの熱が回路基板８８（及び放熱シート９４）を介して速やかにキャン部の底壁に伝達される。即ち、本実施形態では、回路素子９０Ａ，９０Ｂの冷却性能をより一層向上させることができる。
【００５５】
さらに、本実施形態では、インペラ１８によって攪拌された冷却水の一部が、ポンプケース１６に形成されたキャン部４２の内部を循環した後、出口管３２（図１参照）に向けて流れて行く。換言すると、キャン部４２の底壁４６から伝達された熱によって温度が上昇した冷却水が、キャン部４２の底壁４６付近に留まらない。その結果、本実施形態では、回路素子９０Ａ，９０Ｂの冷却性能をより一層向上させることができる。
【００５６】
なお、本実施形態では、インペラ１８によって攪拌された冷却水の一部が、ポンプケース１６に形成されたキャン部４２の内部を循環する例について説明してきたが、本発明はこれに限定されず、例えば、冷却水がキャン部４２の内部を循環しない構成としてもよい。
【００５７】
また、本実施形態では、回路素子９０Ａをモータハウジング２４の取付面４６Ａ（キャン部４２の底壁４６）と対向する部位（キャン部４２の底壁４６と最も近い位置）に配置した例について説明してきたが、本発明はこれに限定されるものではない。例えば、回路素子９０Ａを回路素子９０Ｂと同様の位置に配置した構成としてもよい。このように回路素子９０Ａの配置は、回路素子９０Ａが発熱する熱量及び回路基板８８の熱伝導率等を考慮して適宜設定すればよい。
【００５８】
さらに、本実施形態では、回路基板８８とキャン部４２の底壁４６との間に放熱シート９４が介装されることによって回路基板８８とキャン部４２の底壁４６とが接合されている例について説明してきたが、本発明はこれに限定されず、例えば、回路基板８８とキャン部４２の底壁４６とが溶着等によって接合された構成としても良い。
【００５９】
また、本実施形態では、回路装置２８（回路基板８８）をキャン部４２の底壁４６に取付けた（接合した）例について説明してきたが、本発明はこれに限定されず、例えば、回路装置２８（回路基板８８）をキャン部４２の内周壁５０に伝熱部材を介して取付けた構成としてもよい。
【００６０】
さらに、本実施形態では、回路基板８８上に取付けられた回路素子９０Ａ，９０Ｂの熱が回路基板８８を介してモータハウジング２４に伝達される例について説明してきたが、本発明はこれに限定されるものではない。例えば、回路素子９０Ａ，９０Ｂがキャン部４２の底壁４６に当接している構成としてもよい。
【００６１】
（第２実施形態）
次に、本発明の第２実施形態に係る電動ポンプ１００について説明する。なお、第１実施形態と基本的に同一の部品及び部分については、電動ポンプ１２と同一の符号を付してその説明を省略する。
【００６２】
図８及び図９に示されるように、本実施形態の電動ポンプ１００の一部を構成する回路基板１０２には、ステータ２２（図１参照）のＵ相、Ｖ相、Ｗ相に各々供給される電力のスイッチング等を行う回路素子としての複数のＦＥＴ１０４が取付けられている。このＦＥＴ１０４は、キャン部４２の底壁４６と回路基板１０２との間に配置された状態で回路基板１０２の中央部に取付けられている。また、回路基板１０２は、キャン部４２の底壁４６と回路基板１０２との間に放熱シート９４が介装された状態でキャン部４２の底壁４６に取付けられている。これにより、ＦＥＴ１０４がキャン部４２の底壁４６と回路基板１０２との間に介装された放熱シート９４に被われる構成である。
【００６３】
また、回路基板１０２の中央部には、ＦＥＴ１０４と電気的に接続された導電パターン部１０６が設けられており、この導電パターン部１０６は、放熱シート９４を介してキャン部４２の底壁４６と接している。
【００６４】
さらに、本実施形態では、キャン部４２における回路基板１０２側の部位が金属製とされている。具体的には、有底円筒状に形成された金属製のキャップ１０８がキャン部４２の内周壁５０に沿って圧入、又はキャップ１０８がキャン部４２の底壁４６及び内周壁５０に接着剤を介して接合されることによってキャン部４２における回路基板１０２側の部位が金属製とされている。
【００６５】
以上説明した第２実施形態に係る電動ポンプ１００では、ＦＥＴ１０４が回路基板１０２上の前記位置に配置されている。そのため、ＦＥＴ１０４の熱を放熱シート９４を介して速やかにモータハウジング２４（キャン部４２）に放熱することができる。また、本実施形態では、キャン部４２の底壁４６と回路基板１０２との間に放熱シート９４が介装されている。これにより、放熱シート９４がＦＥＴ１０４を被っている。そのため、ＦＥＴ１０４の熱をより効率よくモータハウジング２４に放熱することができる。
【００６６】
また、本実施形態では、上記の導電パターン部１０６が回路基板１０２に設けられている。そのため、ＦＥＴ１０４の熱を導電パターン部１０６に伝達させた後にモータハウジング２４に伝達させることができる。また、導電パターン部１０６と放熱シート９４との接触面積を適宜設定することによってＦＥＴ１０４の冷却性能をより一層向上させることができる。
【００６７】
さらに、本実施形態では、モータハウジング２４のキャン部４２における回路基板１０２側の部位が、熱伝導率が高い金属製とされている。これにより、本実施形態では、ＦＥＴ１０４からキャン部４２への放熱性能をより一層向上させることができる。
【００６８】
（第３実施形態）
次に、本発明の第３実施形態に係る電動ポンプ１１０について説明する。なお、第１実施形態等の電動ポンプ１２，１００と基本的に同一の部品及び部分については、電動ポンプ１２，１００と同一の符号を付してその説明を省略する。
【００６９】
図１０及び図１１に示されるように、本実施形態の電動ポンプ１１０は、複数のＦＥＴ１０４が回路基板１１２の径方向外側かつキャン部４２と近接する部位に配置されていると共に、ＦＥＴ１０４と電気的に接続された導電パターン部１１４が回路基板１１２の中央部まで延出していることに特徴がある。具体的には、ＦＥＴ１０４は、回路基板１１２の径方向外側の部位のモータハウジング２４側の面に取付けられている。また、回路基板１１２におけるＦＥＴ１０４が取付けられた面と同じ側の面に導電パターン部１１４が設けられている、この導電パターン部１１４は、回路基板１１２の径方向外側の部位から該回路基板１１２の中央部に向けて延びる帯状に形成されている。
【００７０】
また、キャン部４２の底壁４６と回路基板１１２の中央部との間に放熱シート９４が介装された状態で回路基板１１２の中央部がキャン部４２の底壁４６に取付けられている。その結果、導電パターン部１１４が放熱シート９４を介してキャン部４２の底壁４６と接している。
【００７１】
以上説明した第３実施形態に係る電動ポンプ１１０では、上記の導電パターン部１１４が回路基板１１２に設けられている。そのため、ＦＥＴ１０４の熱を導電パターン部１１４に伝達させた後にモータハウジング２４に伝達させることができる。また、本実施形態では、上記第２実施形態に比して、導電パターン部１１４と放熱シート９４との接触面積が拡大されているためＦＥＴ１０４の冷却性能をより一層向上させることができる。
【００７２】
なお、本実施形態では、導電パターン部１１４とキャン部４２の底壁４６との間に放熱シート９４を介装した例について説明してきたが、本発明はこれに限定されるものではない。例えば、金属製のキャップ１０８を取り外して、導電パターン部１１４と樹脂製とされたキャン部４２の底壁４６とを直接接触させた構成とすることもできる。
【００７３】
（第４実施形態）
次に、本発明の第４実施形態に係る電動ポンプ１１６について説明する。なお、第１実施形態等の電動ポンプ１２，１００，１１０と基本的に同一の部品及び部分については、電動ポンプ１２，１００，１１０と同一の符号を付してその説明を省略する。
【００７４】
図１２に示されるように、本実施形態の電動ポンプ１１６では、複数のＦＥＴ１０４が回路基板１１８におけるキャン部４２の底壁４６と対向する部位に配置されていると共に、このＦＥＴ１０４が回路基板１１８におけるカバー部材９２（図１０等参照）側の面に取付けられている。また、回路基板１１８におけるＦＥＴ１０４が取付けられた部位のカバー部材９２側の面にはＦＥＴ１０４と電気的に接続された導電パターン部１２０が設けられていると共に、回路基板１１８におけるＦＥＴ１０４が取付けられた部位のモータハウジング２４側の面にも導電パターン部１２２が設けられている。また、回路基板１１８におけるＦＥＴ１０４が取付けられた部位には、複数のスルーホールビア１２４が形成されている。このスルーホールビア１２４は回路基板１１８を貫通する小径の円筒状に形成されており、スルーホールビア１２４の内周面には導体が鍍金されている。上記の導電パターン部１２０と導電パターン部１２０とがスルーホールビア１２４を介して電気的に接続される構成である。
【００７５】
また、キャン部４２の底壁４６と回路基板１１８の中央部との間に放熱シート９４が介装された状態で回路基板１１８の中央部がキャン部４２の底壁４６に取付けられている。その結果、回路基板１１８に設けられた導電パターン部１２２及びスルーホールビア１２４のモータハウジング２４側の端部が放熱シート９４を介してキャン部４２の底壁４６と接している。
【００７６】
以上説明した第４実施形態に係る電動ポンプ１１６では、ＦＥＴ１０４の熱が導電パターン部１２０に伝達され、次いで導電パターン部１２０に伝達された熱がスルーホールビア１２４に伝達される。そして、スルーホールビア１２４に伝達された熱の一部は、放熱シート９４を介してモータハウジング２４に放熱される。また、スルーホールビア１２４に伝達された熱の他の一部は、導電パターン部１２２に伝達された後放熱シート９４を介してモータハウジング２４に放熱される。これにより、本実施形態では、ＦＥＴ１０４が回路基板１１８におけるモータハウジング２４と反対側に配置されている場合においてもＦＥＴ１０４の冷却性能をより一層向上させることができる。
【００７７】
以上、本発明の一実施形態について説明したが、本発明は、上記に限定されるものでなく、その主旨を逸脱しない範囲内において上記以外にも種々変形して実施することが可能であることは勿論である。
【符号の説明】
【００７８】
１０…モータ部，１２…電動ポンプ，１８…インペラ，２０…ロータ，２２…ステータ，２４…モータハウジング，２８…回路装置，４２…キャン部，４６…底壁，４８…軸支部，８８…回路基板，９０Ａ…回路素子，９０Ｂ…回路素子，９４…放熱シート（伝熱部材），１００…電動ポンプ，１０２…回路基板，１０４…ＦＥＴ（回路素子），１０６…導電パターン部，１１０…電動ポンプ，１１２…回路基板，１１４…導電パターン部，１１６…電動ポンプ，１１８…回路基板，１２０…導電パターン部，１２２…導電パターン部，１２４…スルーホールホールビア
【図１】
2014025471.tif 000003
【図２】
2014025471.tif 000004
【図３】
2014025471.tif 000005
【図４】
2014025471.tif 000006
【図５】
2014025471.tif 000007
【図６】
2014025471.tif 000008
【図７】
2014025471.tif 000009
【図８】
2014025471.tif 000010
【図９】
2014025471.tif 000011
【図１０】
2014025471.tif 000012
【図１１】
2014025471.tif 000013
【図１２】
2014025471.tif 000014